(57)【要約】      （修正有）【課題】アースピンを折り畳む操作も起き上がらせる操作も容易に行えるアースピン２段階折り返し式プラグを提供する。【解決手段】アースピン２段階折り返し式プラグは、折り畳んで収納するプロセスも、起き上がらせて復帰させるプロセスも、いずれも動作は２段階に分けられ、折り畳みプロセスで動作の後半は、差し込みプロセスに従って行われるため、手動でアースピン３１を収容溝１１に押圧する必要がなく、復帰プロセスの動作の前半では、トーションばねにより自ら飛び上がるため、手動で収容溝からアースピンを取り出す必要がない。固定座２０の側方突起ブロック２１１とトーションばねの組み合わせにより、アースピンはあらかじめ所定の傾斜角度で位置決めされ、後方突起ブロック２２１と側方突起ブロックの組み合わせにより、アースピンは垂直角度で安定して位置決めされ、側方突起ブロックの長さを利用して、あらかじめ固定されたアースピンの傾斜角度を調整することができる。【選択図】図５
0003229388.tif 000002
【実用新案登録請求の範囲】
【請求項１】
プラグベースと、アースピンと、ライブピンと、ニュートラルピンとを含み、プラグベースにアースピンを収納する収容溝が開設され、アースピンは回転して収容溝内に設けられるプラグであって、収容溝内に固定座が設けられ、アースピンはトーションばねとインサートによって、回転して固定座に設けられ、アースピンは起き上がろうとする傾向を保ち、さらに、アースピンの両側に位置する固定座の２つの側壁に側方突起ブロックが設けられ、アースピンが収容溝に向かって回転して側方突起ブロックを超えるまで引き倒されると、アースピンはトーションばねの作用力により側方突起ブロックに受け止められて保持されることを特徴とするアースピン２段階折り返し式プラグ。
【請求項２】
固定座は、さらに、アースピンの背後に位置する後壁を含み、後壁にアースピンに向かって後方突起ブロックが設けられ、アースピンは後方突起ブロックと２つの側方突起ブロックとの間に位置決めされることを特徴とする請求項１に記載のアースピン２段階折り返し式プラグ。
【請求項３】
アースピンは後方突起ブロックと２つの側方突起ブロックとの間に締まりばめで配置されることを特徴とする請求項２に記載のアースピン２段階折り返し式プラグ。
【請求項４】
側方突起ブロックの収容溝の底部に向かって延伸する長さにより、アースピンが側方突起ブロックに受け止められて保持される時の角度が決定されることを特徴とする請求項１に記載のアースピン２段階折り返し式プラグ。
【請求項５】
アースピンが側方突起ブロックに受け止められて保持される時の角度は約７５°以下であることを特徴とする請求項４に記載のアースピン２段階折り返し式プラグ。
【請求項６】
固定座は収容溝の片端に設けられ、収容溝の他端がプラグベースを貫通して、開口部が形成されることを特徴とする請求項２に記載のアースピン２段階折り返し式プラグ。
【請求項７】
固定座の後方突起ブロックは湾曲するように形成され、収容溝の端面に後方突起ブロックの輪郭に対応して突き当てリブが設けられ、突き当てリブは後方突起ブロックの輪郭にフィットされることを特徴とする請求項６に記載のアースピン２段階折り返し式プラグ。
【請求項８】
アースリード線に接続される外部アースを含むことを特徴とする請求項１に記載のアースピン２段階折り返し式プラグ。
【請求項９】
プラグベースの側壁において、端面に近い位置に拡径された防水台が形成されることを特徴とする請求項１に記載のアースピン２段階折り返し式プラグ。
【請求項１０】
収容溝はライブピンとニュートラルピンとの中間の位置に開設され、プラグベースに取付溝が開設され、取付溝内にピン固定具が設けられ、ライブピンとニュートラルピンはそれぞれピン固定具に挿着され、ピン固定具によってプラグベースに位置決めされることを特徴とする請求項１〜９のいずれか１項に記載のアースピン２段階折り返し式プラグ。
【考案の詳細な説明】
【技術分野】
【０００１】
本考案は、プラグに関し、詳しく言えば、アースピン２段階折り返し式プラグに関する。
【背景技術】
【０００２】
特許文献１には両用タイプのプラグが開示されている。当該プラグはプラグベースを含み、前記プラグベース内に３つの接続電極が設けられる。前記接続電極はプラグベース内の３つの接続柱にそれぞれ接続され、前記３つの接続柱はそれぞれライブ接続柱、ニュートラル接続柱、アース接続柱である。前記アース接続柱は折り畳み可能に構成され、前記プラグベースにおいて側面の中間部に折り畳まれたアース接続柱を収納するためのスロットが設けられる。前記折り畳み式アース接続柱のヒンジ端のヒンジピンに復帰トーションばねが巻き取られ、前記復帰トーションばねは片端がプラグベース内に係止され、可動端となる他端がアース接続柱に作用して跳ね上がらせ、前記プラグベースのスロットのヒンジ端に対する別の側面には、折り畳まれた状態のアース接続柱の可動端の先端部を係止するための弾性留め具が設けられる。
【０００３】
当該考案において、アース接続柱を折り畳むことで２口コンセントと３口コンセントに適用されるが、アース接続柱をスロットに折り畳む時は、ライブ接続柱とニュートラル接続柱とのピッチが小さいため、指で押圧して操作することが難しい。また、アース接続柱がスロットに折り畳まれて弾性留め具に止められた状態では、アース接続柱を起き上がらせて復帰させる場合、指で操作するためのスペースが極めて小さく、アース接続柱の力を受ける面積も小さいため、アース接続柱を起き上がらせて復帰させることは難しい。
【０００４】
したがって、当該考案において、アース接続柱を折り畳むことも、起き上がらせることも、いずれも難しい。
【先行技術文献】
【特許文献】
【０００５】
【特許文献１】中国実用新案申請第２０１０２０５０８０４４．２号
【考案の概要】
【考案が解決しようとする課題】
【０００６】
本考案の目的は、従来技術の欠点を解消するために、アースピンを折り畳む操作も起き上がらせる操作も容易に行えるアースピン２段階折り返し式プラグを提供することである。
【課題を解決するための手段】
【０００７】
本考案は以下の技術的解決手段を採用する。
アースピン２段階折り返し式プラグであって、プラグベースと、アースピンと、ライブピンと、ニュートラルピンとを含み、プラグベースにアースピンを収納する収容溝が開設され、アースピンは回転して収容溝内に設けられ、収容溝内に固定座が設けられ、アースピンはトーションばねとインサートによって、回転して固定座に設けられ、アースピンは起き上がろうとする傾向を保ち、さらに、アースピンの両側に位置する固定座の２つの側壁に側方突起ブロックが設けられ、アースピンが収容溝に向かって回転して側方突起ブロックを超えるまで引き倒されると、アースピンはトーションばねの作用力により側方突起ブロックに受け止められて保持される。
【０００８】
好ましくは、固定座は、さらに、アースピンの背後に位置する後壁を含み、後壁にアースピンに向かって後方突起ブロックが設けられ、アースピンは後方突起ブロックと２つの側方突起ブロックとの間に位置決めされる。
【０００９】
好ましくは、アースピンは後方突起ブロックと２つの側方突起ブロックとの間に締まりばめで配置される。
【００１０】
好ましくは、側方突起ブロックの収容溝の底部に向かって延伸する長さにより、アースピンが側方突起ブロックに受け止められて保持される時の角度が決定される。
【００１１】
好ましくは、アースピンが側方突起ブロックに受け止められて保持される時の角度は約７５°以下である。
【００１２】
好ましくは、固定座は収容溝の片端に設けられ、収容溝の他端がプラグベースを貫通して、開口部が形成される。
【００１３】
好ましくは、固定座の後方突起ブロックは湾曲するように形成され、収容溝の端面に後方突起ブロックの輪郭に対応して突き当てリブが設けられ、突き当てリブは後方突起ブロックの輪郭にフィットされる。
【００１４】
好ましくは、さらに、アースリード線に接続される外部アースを含む。
【００１５】
好ましくは、プラグベースの側壁において、端面に近い位置に拡径された防水台が形成される。
【００１６】
好ましくは、収容溝はライブピンとニュートラルピンとの中間の位置に開設され、プラグベースに取付溝が開設され、取付溝内にピン固定具が設けられ、ライブピンとニュートラルピンはそれぞれピン固定具に挿着され、ピン固定具によってプラグベースに位置決めされる。
【考案の効果】
【００１７】
本考案にはプラスの効果がある。
本考案に係るアースピン２段階折り返し式プラグによれば、折り畳んで収納するプロセスも、起き上がらせて復帰させるプロセスも、いずれも動作は２段階に分けられ、折り畳みプロセスで動作の後半は、差し込みプロセスに従って行われるため、手動でアースピンを収容溝に押圧する必要がなく、復帰プロセスの動作の前半では、トーションばねにより自ら飛び上がるため、手動で収容溝からアースピンを取り出す必要がない。本考案において、固定座の側方突起ブロックとトーションばねの組み合わせにより、アースピンはあらかじめ所定の傾斜角度で位置決めされ、折り畳んで収納するプロセスも、起き上がらせて復帰させるプロセスも、手動操作を必要とする部分はいずれも広い場所で行われるため、手動操作が行いやすい。
【００１８】
本考案において、後方突起ブロックと側方突起ブロックの組み合わせにより、アースピンは垂直角度で安定して位置決めされ、側方突起ブロックの長さを利用して、あらかじめ固定されたアースピンの傾斜角度を調整することができる。
【図面の簡単な説明】
【００１９】
【図１】図１は、本考案の構造模式図である。
【図２】図２は、本考案の構造分解図である。
【図３】図３は、固定座の構造模式図である。
【図４】図４は、アースピンが垂直角度になる時の構造模式図である。
【図５】図５は、アースピンがあらかじめ所定の傾斜角度で位置決めされることを示す構造模式図である。
【考案を実施するための形態】
【００２０】
次に、図面と実施例を用いて、本考案を詳細に説明する。
【００２１】
本考案において、折り畳んで押圧する操作が行いにくく、起き上がらせて復帰させる操作が行いにくい等の従来技術に存在する欠点を解消するために、アースピン２段階折り返し式プラグが提供される。アースピンを折り畳んで収納するプロセスも、起き上がらせて復帰させるプロセスも、いずれも動作は２段階に分けて行われるため、アースピンを折り畳む時は限界まで押圧し、起き上がらせる時は取り出す必要があるため操作しにくいような状況は避けられる。
【００２２】
図１、図２に示すように、本考案に係るアースピン（３１）２段階折り返し式プラグはプラグベース１０と、アースピン３１と、ライブピン３２と、ニュートラルピン３３とを含み、プラグベース１０は電源コードの端部に接続され、アースピン３１、ライブピン３２、ニュートラルピン３３はアースリード線、ライブリード線、ニュートラルリード線にそれぞれ間接的に又は直接的に接続され、プラグベース１０の端面に延出して、プラグベース１０に固定される。プラグベース１０にアースピン３１を収納する収容溝１１が開設され、アースピン３１は回転して収容溝１１内に設けられ、アースピン３１の回転方向は収容溝１１の開設位置に適合するように設定され、収容溝１１はアースピン３１が所定の位置に折り畳まれた後、アースピン３１を収納するように構成される。
【００２３】
本考案において、アースピン３１が回転する過程であらかじめ所定の傾斜角度で固定されることを実現するために、収容溝１１内に固定座２０が設けられ、トーションばね１８とインサート１７によって、アースピン３１は回転して固定座２０に設けられ、アースピン３１は起き上がろうとする傾向を保つ。図３に示すように、前記固定座２０の、アースピン３１を折り畳んで収納することに対応する方向に開口され、これによりアースピン３１を折り畳んで収納することに支障をきたさない。ここで、アースピン３１の両側に位置する固定座２０の２つの側壁２１に側方突起ブロック２１１が設けられ、アースピン３１が収容溝１１に向かって回転して側方突起ブロック２１１を超えるまで引き倒されると、アースピン３１はトーションばね１８の作用力により側方突起ブロック２１１に受け止められ保持されて、アースピン３１は所定の傾斜角度であらかじめ位置決めされる。さらに、本考案において、２口コンセントと３口コンセントの切り替えのための、折り畳んで収納するプロセスも、起き上がらせて復帰させるプロセスも、いずれも動作は２段階に分けられる。
【００２４】
具他的には、図４に示すように、折り畳んで収納する時は、手動でアースピン３１を折り畳み、アースピン３１が側方突起ブロック２１１を超えるまで回転させ、アースピン３１はトーションばね１８の作用力により側方突起ブロック２１１に受け止められ保持されて、アースピン３１は所定の傾斜角度であらかじめ位置決めされる。次に２口コンセントに差し込み、挿入する過程で、傾斜するアースがコンセントに接触し突き当ると、挿入動作が進むにつれて、アースピン３１が押さえられて収容溝１１に向かって回転し、プラグベース１０がコンセントにフィットされると、アースピン３１は収容溝１１内まで回転している。
【００２５】
図５に示すように、起き上がらせて復帰させる時は、プラグがコンセントから引き抜かれると、トーションばね１８の復帰作用力により、アースピン３１は自ら回転して起き上がり、側方突起ブロック２１１に突き当たると、アースピン３１は自ら復帰して所定の傾斜角度で固定される。アースピン３１を起き上がらせて垂直角度に復帰させる場合は、手動で操作し、アースピン３１を起き上がらせて、側方突起ブロック２１１を超えて垂直角度になると、３口コンセントに適用される。アースピン３１を起き上がらせて垂直角度に復帰させる必要がない場合は、次に２口コンセントに差し込んで使用する時は、そのまま差し込めばよく、他の操作はいらない。
【００２６】
したがって、折り畳んで収納するプロセスも、起き上がらせて復帰させるプロセスも、アースピン３１に対する手動操作の行程は垂直角度から側方突起ブロック２１１によって限定される傾斜角度までとなり、そして、アースピン３１のさらなる操作のためのスペースはライブピン３２、ニュートラルピン３３の上方又は側方の位置にあり、これにより操作に対するライブピン３２、ニュートラルピン３３の干渉が避けられ、手動でアースピン３１を折り畳む操作と起き上がらせる操作は行いやすくなる。折り畳んで収納するプロセスにおいて、アースピン３１全体が収容溝１１に入るまで手動で押圧する必要がなく、起き上がらせて復帰するプロセスにおいて、収容溝１１からアースピン３１を取り出す必要がないため、折り畳んで収納する操作と起き上がらせて復帰させる操作で最も難しい２つの部分が避けられる。
【００２７】
理論的には、ライブピン３２、ニュートラルピン３３がアースピン３１の回転に干渉を与えないのであれば、アースピン３１の回転方向は特に制限されない。一方、小型化の観点から、またライブピン３２とニュートラルピン３３との間のスペースは省略できないために、本実施例において、収容溝１１はライブピン３２とニュートラルピン３３との中間の位置に開設され、これにより他の方向に向かって回転するために体積が増えることが避けられる。なお、プラグベース１０に取付溝１５が開設され、取付溝１５と収容溝１１は「十」字状に直交して連通し、取付溝１５内にピン固定具１６が設けられ、ライブピン３２とニュートラルピン３３はピン固定具１６にそれぞれ挿着され、ピン固定具１６によってプラグベース１０に位置決めされる。
【００２８】
本実施例において、防水コンセントにも適用されるために、プラグベース１０の側壁において、端面に近い位置に拡径された防水台１４が形成され、これにより差し込まれた状態において、防水機能が実現される。
【００２９】
実施にあたっては、導電性を実現するために、固定座２０、トーションばね１８及びインサート１７はいずれも金属材質からなってもよく、アースリード線は固定座２０、トーションばね１８又はインサート１７に接続されて、アースピン３１との間接的な接続が実現される。ライブピン３２、ニュートラルピン３３はライブリード線、ニュートラルリード線にそれぞれ直接接続される。
【００３０】
本実施例において、固定座２０に少なくとも３つの壁部が設けられ、即ち、固定座２０はアースピン３１の両側に位置する側壁２１、アースピン３１の背後に位置する後壁２２を含み、後壁２２にアースピン３１に向かって後方突起ブロック２２１が設けられ、アースピン３１は後方突起ブロック２２１と２つの側方突起ブロック２１１との間に位置決めされる。垂直角度となるアースピン３１がより安定的な状態であるように、アースピン３１は後方突起ブロック２２１と２つの側方突起ブロック２１１との間に締まりばめで配置され、これによりアースピン３１が外れることが避けられ、コンセントに差し込みやすくなる。
【００３１】
固定座２０がより安定して収容溝１１内に取り付けられるように、後方突起ブロック２２１が高強度で構成され、固定座２０は収容溝１１の片端に設けられ、固定座２０の後方突起ブロック２２１は湾曲するように形成され、収容溝１１の端面に後方突起ブロック２２１の輪郭に対応して突き当てリブ１２が設けられ、突き当てリブ１２は後方突起ブロック２２１の輪郭にフィットされる。ここで、収容溝１１の他端はプラグベース１０を貫通して、開口部１３が形成される。これにより、アースピン３１を収納するためにより大きなスペースが提供され、長時間使用後にアースピン３１が外れて収容溝１１に入らないような状況は避けられる。
【００３２】
側方突起ブロック２１１の収容溝１１の底部に向かって延伸する長さにより、アースピン３１が側方突起ブロック２１１に受け止められて保持される時の角度が決定される。本実施例において、２つの側方突起ブロック２１１は対称に設けられ、且つ、収容溝１１の底部に向かって垂直角度に延伸し、したがって、側方突起ブロック２１１の収容溝１１の底部に向かって延伸する長さが長いほど、アースピン３１が側方突起ブロック２１１の作用により位置決めされる時の傾斜角度（収容溝１１の底部との夾角）が小さい。差し込む過程で、アースピン３１が押さえられて折り畳まれるように、アースピン３１が側方突起ブロック２１１に受け止められて保持される時の角度は約７５°以下とされる。本実施例において、側方突起ブロック２１１によって、アースピン３１が側方突起ブロック２１１に受け止められて保持される時の角度は約６０°であるように限定される。
【００３３】
２口コンセントに差し込まれた時にも接地効果があるように、本考案は、さらに、外部アース４０を含み、外部アース４０はアースリード線に接続され、外部アース４０は端部のクリップによって接地柱に接続して接地される。
【００３４】
上記の実施例は本考案を説明するためのものに過ぎず、本考案を限定するものではない。本考案の技術範囲内において上記の実施例に変更、変形などが行われるものは、いずれも本考案の請求範囲に含まれる。
【符号の説明】
【００３５】
１０...プラグベース、１１...収容溝、１２...突き当てリブ、１３...開口部、１４...防水台、１５...取付溝、１６...ピン固定具、１７...インサート、１８...トーションばね、２０...固定座、２１...側壁、２１１...側方突起ブロック、２２...後壁、２２１...後方突起ブロック、３１...アースピン、３２...ライブピン、３３...ニュートラルピン、４０...外部アース。
【図１】
0003229388.tif 000003
【図２】
0003229388.tif 000004
【図３】
0003229388.tif 000005
【図４】
0003229388.tif 000006
【図５】
0003229388.tif 000007
【手続補正書】
【提出日】令和2年9月10日(2020.9.10)
【手続補正１】
【補正対象書類名】実用新案登録請求の範囲
【補正対象項目名】全文
【補正方法】変更
【補正の内容】
【実用新案登録請求の範囲】
【請求項１】
プラグベースと、アースピンと、ライブピンと、ニュートラルピンとを含み、プラグベースにアースピンを収納する収容溝が開設され、アースピンは回転して収容溝内に設けられるプラグであって、収容溝内に固定座が設けられ、アースピンはトーションばねとインサートによって、回転して固定座に設けられ、アースピンは起き上がろうとする傾向を保ち、さらに、アースピンの両側に位置する固定座の２つの側壁に側方突起ブロックが設けられ、アースピンが収容溝に向かって回転して側方突起ブロックを超えるまで引き倒されると、アースピンはトーションばねの作用力により側方突起ブロックに受け止められて保持されることを特徴とするアースピン２段階折り返し式プラグ。
【請求項２】
固定座は、さらに、アースピンの背後に位置する後壁を含み、後壁にアースピンに向かって後方突起ブロックが設けられ、アースピンは後方突起ブロックと２つの側方突起ブロックとの間に位置決めされることを特徴とする請求項１に記載のアースピン２段階折り返し式プラグ。
【請求項３】
アースピンは後方突起ブロックと２つの側方突起ブロックとの間に締まりばめで配置されることを特徴とする請求項２に記載のアースピン２段階折り返し式プラグ。
【請求項４】
側方突起ブロックの収容溝の底部に向かって延伸する長さにより、アースピンが側方突起ブロックに受け止められて保持される時の角度が決定されることを特徴とする請求項１に記載のアースピン２段階折り返し式プラグ。
【請求項５】
アースピンが側方突起ブロックに受け止められて保持される時の角度は約７５°以下であることを特徴とする請求項４に記載のアースピン２段階折り返し式プラグ。
【請求項６】
固定座は収容溝の片端に設けられ、収容溝の他端がプラグベースを貫通して、開口部が形成されることを特徴とする請求項２に記載のアースピン２段階折り返し式プラグ。
【請求項７】
固定座の後方突起ブロックは湾曲するように形成され、収容溝の端面に後方突起ブロックの輪郭に対応して突き当てリブが設けられ、突き当てリブは後方突起ブロックの輪郭にフィットされることを特徴とする請求項６に記載のアースピン２段階折り返し式プラグ。
【請求項８】
アースリード線に接続される外部アースを含み、前記アースリード線が前記アースピンに接続されることを特徴とする請求項１に記載のアースピン２段階折り返し式プラグ。
【請求項９】
プラグベースの側壁において、端面に近い位置に拡径された防水台が形成されることを特徴とする請求項１に記載のアースピン２段階折り返し式プラグ。
【請求項１０】
収容溝はライブピンとニュートラルピンとの中間の位置に開設され、プラグベースに取付溝が開設され、取付溝内にピン固定具が設けられ、ライブピンとニュートラルピンはそれぞれピン固定具に挿着され、ピン固定具によってプラグベースに位置決めされることを特徴とする請求項１〜９のいずれか１項に記載のアースピン２段階折り返し式プラグ。